(57)【要約】【課題】電子機器の操作性を改善すること。【解決手段】本発明の１つの態様に係る電子機器は、ディスプレイと、静電容量方式のセンサであり水を検知可能な第１検知部と、第２検知部と、制御部と、を有し、前記制御部は、前記ディスプレイがロック画面を表示している状態において、前記第１検知部が水を検知していないときには、前記第１検知部によって第１解除操作が検知されたか否かの第１の判断を行い、前記第１検知部が水を検知しているときには、前記第２検知部によって第２解除操作が検知されたか否かの第２の判断を行い、前記第１の判断において前記第1解除操作が検知されたと判断した場合、または前記第２の判断において前記第２解除操作が検知されたと判断した場合に、前記ディスプレイの表示を前記ロック画面から第１画面へ変更させる。【選択図】図７
2017199136.tif 000002
【特許請求の範囲】
【請求項１】
ディスプレイと、
静電容量方式のセンサであり水を検知可能な第１検知部と、
第２検知部と、
制御部と、を有し、
前記制御部は、
前記ディスプレイがロック画面を表示している状態において、
前記第１検知部が水を検知していないときには、前記第１検知部によって第１解除操作が検知されたか否かの第１の判断を行い、
前記第１検知部が水を検知しているときには、前記第２検知部によって第２解除操作が検知されたか否かの第２の判断を行い、
前記第１の判断において前記第1解除操作が検知されたと判断した場合、または前記
第２の判断において前記第２解除操作が検知されたと判断した場合に、前記ディスプレイの表示を前記ロック画面から第１画面へ変更させる、
電子機器。
【請求項２】
前記第２検知部は、前記電子機器の移動を検知するためのセンサである、
請求項１に記載の電子機器。
【請求項３】
前記制御部は、
前記第２の判断に基づいて前記ディスプレイの表示を前記ロック画面から前記第１画面へ変更させたあと、前記第１検知部が水を検知しなくなった場合、前記ディスプレイの表示を前記第１画面から前記ロック画面へ変更させる、
請求項１または２に記載の電子機器。
【請求項４】
カメラを更に有し、
前記第１画面は前記カメラによる撮影を行うための画面である、
請求項１または２に記載の電子機器。
【請求項５】
前記制御部は、
前記第２の判断に基づいて前記ディスプレイの表示を前記ロック画面から前記第１画面へ変更させたあと、前記第１検知部が水を検知しなくなったとき、前記ディスプレイの表示を前記第１画面のまま維持する、
請求項４に記載の電子機器。
【請求項６】
前記制御部は、
前記第２の判断に基づいて前記ディスプレイの表示を前記ロック画面から前記第１画面へ変更させたあと、前記第１検知部が水を検知しなくなった場合、前記第１検知部が水を検知しなくなってから所定の時間が経過すると前記第１検知部をオフにし、
前記第１検知部が水を検知している場合、前記第１検知部をオンのまま維持し、前記ディスプレイの表示を前記第１画面のまま維持する、
請求項１または２に記載の電子機器。
【請求項７】
前記第１画面は、静止画を撮影するための画面であり、
前記制御部は、
前記第２検知部への入力に基づいて第３解除操作が行われたと判断したとき、
前記ディスプレイの表示を、動画を撮影するための第２画面に変更させる、
請求項４に記載の電子機器。
【請求項８】
ディスプレイと、
静電容量方式のセンサである水を検知可能な第１検知部と、
第２検知部と、を有する電子機器に、
前記ディスプレイがロック画面を表示している状態において、前記入力部が水を検知していないときには、前記第１検知部によって第１解除操作が検知されたか否かの第１の判断を行い、
前記第１検知部が水を検知しているときには、前記第２検知部によって第２解除操作が検知されたか否かの第２の判断を行い、
前記第１の判断において前記第１解除操作が検知されたと判断した場合、または前記第２の判断において前記第２解除操作が検知されたと判断した場合に、前記ディスプレイの表示を前記ロック画面から第１画面へ変更させる、
制御プログラム。
【発明の詳細な説明】
【技術分野】
【０００１】
本発明は、電子機器及び制御プログラムに関する。
【背景技術】
【０００２】
従来、表示面に付着する水が検知された場合、表示面に表示される情報の表示態様を変更する電子機器があった（例えば、特許文献１参照）。
【先行技術文献】
【特許文献】
【０００３】
【特許文献１】特開２０１３−１２１００７号公報
【発明の概要】
【発明が解決しようとする課題】
【０００４】
タッチパネルを備えた電子機器を水に濡れる環境で使用するとき、操作方法に改良の余地がある。
【課題を解決するための手段】
【０００５】
本発明の１つの態様に係る電子機器は、ディスプレイと、静電容量方式のセンサであり水を検知可能な第１検知部と、第２検知部と、制御部と、を有し、前記制御部は、前記ディスプレイがロック画面を表示している状態において、前記第１検知部が水を検知していないときには、前記第１検知部によって第１解除操作が検知されたか否かの第１の判断を行い、前記第１検知部が水を検知しているときには、前記第２検知部によって第２解除操作が検知されたか否かの第２の判断を行い、前記第１の判断において前記第1解除操作が
検知されたと判断した場合、または前記第２の判断において前記第２解除操作が検知されたと判断した場合に、前記ディスプレイの表示を前記ロック画面から第１画面へ変更させる。
【０００６】
本発明の１つの態様に係る制御プログラムは、ディスプレイと、静電容量方式のセンサである水を検知可能な第１検知部と、第２検知部と、を有する電子機器に、前記ディスプレイがロック画面を表示している状態において、前記入力部が水を検知していないときには、前記第１検知部によって第１解除操作が検知されたか否かの第１の判断を行い、前記第１検知部が水を検知しているときには、前記第２検知部によって第２解除操作が検知されたか否かの第２の判断を行い、前記第１の判断において前記第１解除操作が検知されたと判断した場合、または前記第２の判断において前記第２解除操作が検知されたと判断した場合に、前記ディスプレイの表示を前記ロック画面から第１画面へ変更させる。
【発明の効果】
【０００７】
本発明の一つの態様によれば、水中での使用時におけるスマートフォンの操作性を改善することができる。
【図面の簡単な説明】
【０００８】
【図１】図１は、実施例に係るスマートフォンの機能構成を示すブロック図である。
【図２】図２は、実施例に係るスマートフォンの外観図である。
【図３】図３は、実施例に係るスマートフォンの外観図である。
【図４】図４は、第１の実施例に係るスマートフォンの処理の流れを示すフロー図である。
【図５】図５は、ロック画面での表示の一例を示す図である。
【図６】図６は、ロック画面での表示の一例を示す図である。
【図７】図７は、第２の実施例に係るスマートフォンの処理の流れを示すフロー図である。
【図８】図８は、撮影用のアプリケーションを実行したときの表示の一例を示す図である。
【図９】図９は、撮影用のアプリケーションを実行したときの表示の一例を示す図である。
【発明を実施するための形態】
【０００９】
本発明に係る電子機器、制御方法及び制御プログラムを実施するための複数の実施例を、図面を参照しつつ詳細に説明する。以下では、本発明に係る電子機器の一例として、スマートフォン１を取り上げて説明する。
【００１０】
＜第１の実施例＞
図１、図２、図３を参照しつつ、第１の実施例に係るスマートフォン１の構成の一例を説明する。図１は、第１の実施例に係るスマートフォン１の構成を示すブロック図である。図２および図３はスマートフォン１の外観図である。スマートフォン１は、タッチパネル２Ａと、ディスプレイ２Ｂと、筐体２Ｃと、ボタン３と、バッテリ４と、照度センサ５Ａと、近接センサ５Ｂと、加速度センサ５Ｃと、ジャイロセンサ５Ｄ、方位センサ５Ｅと、気圧センサ５Ｆと、通信ユニット６と、レシーバ７Ａと、マイク７Ｂと、スピーカ７Ｃと、インカメラ８Ａと、アウトカメラ８Ｂと、ストレージ９と、プロセッサ１０と、コネクタ１１と、イヤホンジャック１２と、を備える。
【００１１】
タッチパネル２Ａとディスプレイ２Ｂは重ねて配置されてもよいし、別の場所に配置されてもよい。またタッチパネル２Ａとディスプレイ２Ｂのそれぞれが別の面に備えられても良いし、それぞれがスマートフォン１に複数備えられてもよい。また入力機能と表示機能とを併せ持ったインセル型ディスプレイであってもよい。
【００１２】
タッチパネル２Ａは、静電容量方式が用いられる。しかしながら電磁誘導方式、表面弾性波方式、感圧方式、液抵抗膜方式、赤外線方式などの方式が任意で用いられてもよい。タッチパネル２Ａは指またはスタイラスペン等の操作子の接触および近接を検知する。これによりスマートフォン１に対するユーザの操作を識別し、ユーザの入力操作に関する情報をプロセッサ１０に送る。静電容量方式のタッチパネル２Ａを採用する場合は静電容量の変化を測定することで水中であることを検知できる。指または水がタッチパネル２Ａに触れた箇所は、静電容量が変化する。静電容量がある一定の値の近傍でタッチパネル２Ａの全面にわたって均一となったときには、水没したと判定できる。一部の領域において静電容量が均一となった場合には、タッチパネル２Ａの当該領域が水に濡れていると判定できる。
【００１３】
タッチパネル２Ａにより水を検知したかどうかの判断は、タッチパネル２Ａの全面に渡って静電容量が均一となったときに水を検知したと判断してもよいし、タッチパネル２Ａのうち、閾値を超える面積において静電容量が均一となったときに水を検知したと判断してもよい。以上のように、タッチパネル２Ａは水を検知する水検知部として利用できる。
【００１４】
ディスプレイ２Ｂは、画像を表示できる。ユーザはディスプレイ２Ｂの表示に基づいて端末の状態を確認することができる。ディスプレイ２Ｂは、例えば液晶ディスプレイ、有機ＥＬディスプレイ、無機ＥＬディスプレイ、電子ペーパー等の表示デバイスが用いられる。
【００１５】
ボタン３は押下されることでスマートフォン１に対する電源のｏｎまたはｏｆｆ、スリ
ープモードへの切り替えまたはスリープモードの解除、音量調整などを含むユーザからの種々の入力を受け付ける。ボタン３の数は単数でも複数でもよい。本実施例においてボタン３はタスクスイッチやメンブレンスイッチを使った物理キーである。ボタン３は水中においても押下することでスマートフォン１に対する入力に用いることが可能である。
【００１６】
ボタン３は必ずしも上記のような押下する物理キーに限られるものではなく、例えば静電容量方式で指またはスタイラスペン等の操作子の近接を検知してもよい。もしくはタッチパネル２Ａの一部に配置されたソフトキーであってもよい。静電容量方式で操作子の近接を検知する場合やソフトキーである場合には、水を検知することも可能である。つまりそれらのセンサを搭載したボタン３も水検知部としての機能を有しうる。
【００１７】
バッテリ４は、スマートフォン１の各部に電力を供給する。
【００１８】
照度センサ５Ａは周囲の照度を測定し、ディスプレイ２Ｂの明るさを制御するために用いられる。照度センサ５Ａが測定する照度が高くなるほど、ディスプレイ２Ｂの視認性向上のため、プロセッサ１０は、ディスプレイ２Ｂを明るく設定する。
【００１９】
近接センサ５Ｂは静電容量方式、超音波方式、光電方式、磁気方式、誘導方式などの方式が任意で用いられ、近接センサ５Ｂに対する物体の近接を検知する。静電容量方式の場合は静電容量の変化を利用して、超音波方式や光電方式などでは水中での減衰を利用して、水の検知が可能である。つまり近接センサ５Ｂも水検知部としての機能を有しうる。
【００２０】
照度センサ５Ａと近接センサ５Ｂは別個に備えるのではなく、近接センサ５Ｂは照度センサ５Ａの機能を兼ねていてもよいし、照度センサ５Ａを近接センサ５Ｂの代替として用いてもよい。
【００２１】
加速度センサ５Ｃは、スマートフォン１に作用する加速度の方向や大きさを測定する。
【００２２】
ジャイロセンサ５Ｄは、スマートフォン１の角速度を測定する。
【００２３】
方位センサ５Ｅは、地磁気の向きを検知し、スマートフォン１の向く方位を測定する。
【００２４】
気圧センサ５Ｆは、スマートフォン１に作用する気圧を測定する。気圧センサ５Ｆは、気圧の変化によってスマートフォン１が水中にあるかを判定する水検知部としても利用できる。測定した圧力の変化から水圧を推定し、水深を測定する水深取得部としても利用できる。
【００２５】
通信ユニット６は、通信のための信号を変換する回路や送受信するためのアンテナを備える。通信ユニット６が使用する通信規格は無線通信であり、例えば２Ｇ、３Ｇ、ＬＴＥ（Ｌｏｎｇ  Ｔｅｒｍ  Ｅｖｏｌｕｔｉｏｎ）、４Ｇ、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、Ｂｌｕｅｔｏｏｔｈ（登録商標）、ＩＥＥＥ８０２．１１、ＮＦＣ（Ｎｅａｒ  Ｆｉｅｌｄ  Ｃｏｍｍｕｎｉｃａｔｉｏｎ）、ＩｒＤＡ（Ｉｎｆｒａｒｅｄ  Ｄａｔａ  Ａｓｓｏｃｉａｔｉｏｎ）、Ｚｉｇｂｅｅ（登録商標）等であり、これに限られず種々の無線通信方式を含む。これはスマートフォン１における通信部として機能する。通信ユニット６はインターネット通信を利用することで天気情報や日時情報を含む種々の情報の取得ができる。３ＧやＬＴＥでの通信機能を有する場合、接続している基地局を元に位置情報を推測できる。これを利用することで通信ユニット６は位置情報取得部としての機能も有する。
【００２６】
レシーバ７Ａは音を出力する。レシーバ７Ａは主に通話の音声の出力に用いられるが、音楽、アラーム等も出力することができる。
【００２７】
スピーカ７Ｃも音を出力する。スピーカ７Ｃは主に動画の音声、音楽、アラーム等の出力に用いられ、ハンズフリー通話時の通話音声の出力にも用いられる。
【００２８】
スマートフォン１にはレシーバ７Ａおよびスピーカ７Ｃの、どちらか一方のみが備えられ、他方の機能を兼ねてもよい。
【００２９】
マイク７Ｂは音の入力を受け付ける。ユーザの声や周囲の環境音等はマイク７Ｂによって音信号へ変換される。マイク７Ｂは一つとは限らず複数備えられても良い。
【００３０】
インカメラ８Ａおよびアウトカメラ８Ｂは、撮影した画像を電気信号に変換する。インカメラ８Ａはスマートフォン１のディスプレイ２Ｂを備える面に備えられ、アウトカメラ８Ｂはインカメラ８Ａを備える面とは反対側の面に備えられる。
【００３１】
ストレージ９は、例えばフラッシュメモリ、ＨＤＤ、ＳＳＤ、メモリカード、光ディスク、光磁気ディスクおよびＲＡＭ等の記憶媒体のいずれか、または複数の組み合わせによって構成され、プログラムおよびデータを記憶する。ストレージ９は記憶媒体に加えてそれら記憶媒体から情報を読み取る読み取り装置まで含んでもよい。
【００３２】
ストレージ９に記憶されるプログラムは、スマートフォン１の動作を制御する制御プログラム９Ａと、アプリケーション９Ｂと、とを含む。制御プログラム９Ａには、例えばＯＳが含まれる。アプリケーション９Ｂに、対応するアイコンに入力を受け付けたとき、アプリケーション９Ｂはフォアグラウンドで実行され、当該アプリケーション９Ｂへの操作が可能な画面がディスプレイ２Ｂに表示されるものである。アプリケーション９Ｂはバックグラウンドで実行されてもよい。アプリケーション９Ｂはスマートフォン１にプリインストールされている撮影用のカメラアプリケーションやユーザがインストールするアプリケーションなど、種々のアプリケーションを含む。ストレージ９には、種々の設定情報９Ｃ、種々のセンサからの信号の履歴情報等を含むセンサ情報９Ｄ、センサ情報９Ｄから判定された結果やインターネット通信等により入手する環境情報９Ｅ等が保存される。
【００３３】
プロセッサ１０は、制御部の一例である。スマートフォン１は少なくとも一つのプロセッサを含み、以下で述べる各種の機能を実現するための制御と処理能力を提供する。種々の実施例によると、プロセッサ１０はＩＣ（Iｎｔｅｇｒａｔｅｄ  Ｃｉｒｃｕｉｔ）ま
たは複数の通信可能に接続されたＩＣおよび／またはディスクリート回路を実装していてもよい。プロセッサ１０は様々な既知の技術によって実現されてもよい。一つの実施例では、プロセッサ１０は１以上のデータ計算手段またはデータ計算処理を可能とする１以上の回路またはユニットを有する。例えばプロセッサ１０は、１以上のプロセッサ、コントローラ、マイクロプロセッサ、マイクロコントローラ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ、プログラマブルロジックデバイス、ＦＰＧＡ（Ｆｉｅｌｄ  Ｐｒｏｇｒａｍｍａｂｌｅ  Ｇａｔｅ  Ａｒｒａｙ）か、またはこれらのデバイス、構造、その他のデバイスおよび構造の組み合わせによって構成され、本明細書で示す機能を果たしてもよい。
【００３４】
プロセッサ１０は判定ユニットとハンドオフユニットを含んでもよい。いくつかの実施例では、判定ユニットとハンドオフユニットは、プロセッサ１０に含まれる処理回路によって実行されるときに、メモリに保存された実行可能な命令として実現され、本明細書で説明するそれぞれのプロセスを実行する。もう一つの実施例では、本明細書で示すそれぞれの機能を果たすために、判定ユニットハンドオフユニットの少なくとも一方はプロセッ
サ１０と通信可能に接続されたセパレートＩＣまたはディスクリート回路によって実現されてもよい。
【００３５】
制御プログラム９Ａおよびアプリケーション９Ｂはプロセッサ１０によって実行され、スマートフォン１の動作はプロセッサ１０によって統括的に制御され、各種の機能が実現される。
【００３６】
スマートフォン１は上記の各機能部の他、ＧＰＳ（Ｇｌｏｂａｌ  Ｐｏｓｉｔｉｏｎｉｎｇ  Ｓｙｓｔｅｍ）受信機およびバイブレータを備えていてもよい。ＧＰＳ受信機により受信したＧＰＳ衛星からの信号を用いて、プロセッサ１０は現在位置を検出できる。これにより、通信ユニット６だけでなく、プロセッサ１０もまた位置情報取得部としての機能を有する。
【００３７】
バイブレータは偏心モータまたは圧電素子等を有し、スマートフォン１全体を振動させることでユーザに対する報知等に用いられる。
【００３８】
更に、上述のスマートフォン１は図示しないパッキン等の封止部材を各所に備えており、防水機能を備えている。
【００３９】
本実施例におけるスマートフォン１は、タッチパネル２Ａが水に濡れて使用できず、タッチパネル２Ａを用いた入力が行えない状況において、例えば加速度センサ５Ｃを用いることでロック状態を解除できる。これによりユーザは、例えばユーザが水中でスマートフォン１を振ったとき、スマートフォン１は加速度センサ５Ｃを用いて当該動作を検知し、ロック状態が解除される。
【００４０】
以下に図４を用いて、第１の実施例に係るスマートフォン１の処理の流れを説明する。
【００４１】
本実施例のスマートフォン１が備えるプロセッサ１０は、ステップＳ００１において例えば図５のようなロック画面１３をディスプレイ２Ｂに表示させる。ロック画面１３は、スマートフォン１がロック状態のときに表示される画面であり、他人による不正使用を防止するため、起動時およびスリープモードの解除時にユーザ認証を行う。または誤動作を防止するための画面であってもよい。
【００４２】
上述の機能はスマートフォン１の設定に応じて無効にすることもできる。しかしながら当該機能を有効とすることで、他人によるスマートフォン１の不正利用を防止することができる。または、スマートフォン１の誤動作を防止することができる。
【００４３】
ロック状態のとき、後述するような解除操作が行われない場合、ロック状態は解除されず、スマートフォン１にインストールされたアプリケーションの内、一部を除くアプリケーションの実行が制限される。
【００４４】
解除操作が行われ、ロック状態が解除されると、ロック画面１３が表示されなくなる。この解除操作が行われることを以降、「ロック画面１３を解除する」と表現する。
【００４５】
ステップＳ００１の後、ステップＳ００２に進み、プロセッサ１０はタッチパネル２Ａが水を検知しているか否かを判定する。タッチパネル２Ａが水を検知している場合、ステップＳ００３に進み、プロセッサ１０は、加速度センサ５Ｃを起動し、ステップＳ００４に進む。
【００４６】
ステップＳ００４では、プロセッサ１０は加速度センサ５Ｃでスマートフォン１の動き
を調べ、所定の回数振る等のジェスチャ入力を受けたとき、ロック画面１３を解除する。
【００４７】
ジェスチャ入力による解除操作を行ったあと、事前の設定に基づいてボタン３等の入力手段により種々のアプリケーションを起動して利用することができる。ジェスチャ入力は、スマートフォン１を所定の時間内に所定の回数振ることであってもよいし、スマートフォン１を振る方向、振る際の移動の軌跡、移動距離および速度等の移動情報を組み合わせて考慮し、解除操作としてもよい。一定の方向に連続して振るのではなく、所定の軌跡で振ることを解除操作としてもよい。加速度センサ５Ｃは一例であり、ジャイロセンサ５Ｄやその他のセンサを利用したジェスチャ入力であってもよい。例えばジャイロセンサ５Ｄによって、自機の回転を測定してもよいし、照度センサ５Ａまたは近接センサ５Ｂを、所定の時間内に所定の回数、指または手のひら等で覆うこと等であってもよい。上記に挙げたセンサ以外に種々のセンサが用いられてもよい。
【００４８】
これらのジェスチャ入力による解除操作を受け付ける際には、タッチパネル２Ａを無効にしてもよい。有効なままであってもよいが、例えば水面近くでスマートフォン１を振った時、一時的に水上に出て、意図しない入力がなされることを防ぐため、ジェスチャ入力を受け付けている場合またはその前後の数秒間を含めた時間内である場合には、タッチパネル２Ａを無効にしてもよい。
【００４９】
このとき、図６のようにポップアップ１４を表示した画面を表示してもよい。ポップアップ１４はタッチパネル２Ａが水を検知している間、常時表示されていてもよいし、所定の時間後に消去されてもよい。ポップアップ１４のような形ではなく、画面の端にメッセージを表示し続けてもよい。
【００５０】
ステップＳ００４において、事前の設定に基づいた所定の入力が行われたとき、ステップＳ００５へ進み、プロセッサ１０はロック画面１３を解除する。
【００５１】
一方、ステップＳ００２において、水が検知されていなければ、ステップＳ００６へ進む。ステップＳ００６では、プロセッサ１０は図５の画面において静電容量方式のタッチパネル２Ａによって解除操作を受け付ける。ここではパスコードとして数字列の入力を例として挙げるが、数字列の入力に限られず、種々の解除手段であってもよい。例えばタッチパネル２Ａ上に指を接触させたまま所定の軌跡を描くよう指を移動させる解除操作であってもよいし、数字列でなく英数字を合わせたパスワード入力等の解除操作であってもよい。または誤動作を防止するためにタッチパネル２Ａに指を接触させたまま、指を所定の距離以上、移動させる解除操作であってもよい。ユーザはスマートフォン１の設定を行い、任意の数字列、文字列、軌跡等を解除操作として設定できる。
【００５２】
次にプロセッサ１０は、ステップＳ００６において入力された数字列が事前に登録された数字列かどうかをステップＳ００７にて判定する。ステップＳ００７において、数字列が事前に登録されたものと一致しなかった場合、ステップＳ００６に戻る。
【００５３】
上述のように、スマートフォン１が備えるプロセッサ１０はタッチパネル２Ａが水に濡れていない状態ではタッチパネル２Ａによる解除操作を受け付け、水に濡れた状態では加速度センサ５Ｃ等の種々のセンサを用いた入力を受け付ける。
【００５４】
しかしながら加速度センサ５Ｃまたはジャイロセンサ５Ｄを用いたジェスチャ入力による解除操作は、ジェスチャ入力を目撃した他人が解除操作のための動作を容易に真似することが可能であり、スマートフォン１が不正利用される恐れがある。よってジェスチャ入力による解除が行われたあと、タッチパネル２Ａにおいて水が検知されなくなったのであれば、その直後、または所定の時間が経過した後に数字列の入力等の解除操作を求めても
よい。これにより他人により不正利用される可能性は低下する。
【００５５】
または通常のタッチパネル２Ａへの入力によってロック画面１３を解除した場合と異なり、ジェスチャ入力による解除操作によってロック画面１３が解除されたのであれば、プロセッサ１０は実行できるアプリケーションを制限してもよい。これによりスマートフォン１のストレージ９に保存されている画像データ、連絡先情報およびその他の秘匿性が高い情報へのアクセスを防止できる。
【００５６】
ジェスチャ入力による解除が行われたあと、タッチパネル２Ａが水を検知し続けている間は、ユーザ認証のための入力が依然として困難である状況に変化がないと考えられる。従って時間経過等でのスリープモードへの移行を防いでもよい。またはスリープモードの解除後のロック画面１３の再表示を行わないようにしてもよい。このとき、水に触れているかを判定し続けるため、スリープモードへ移行し、ディスプレイ２Ｂの表示がオフにされたとしても、タッチパネル２Ａのオフを行わないようにしてもよい。スリープモードとは所定の時間が経過したとき、省電力のため、ディスプレイ２Ｂの表示を消去した状態である。
【００５７】
ここまでタッチパネル２Ａによる入力が行えない場合について述べたが、指紋認証や網膜認証、音声認証等を行うことが可能な電子機器であれば、同様に水中でのユーザ認証が行えない場合が想定されるため、加速度センサ５Ｃ、ジャイロセンサ５Ｄまたは照度センサ５Ａ等を用いた解除操作を受け付けることが可能である。
【００５８】
＜第２の実施例＞
本実施例のスマートフォン１は、タッチパネル５Ｃが水に濡れて使用できない状況において、種々のセンサを用いてロック画面１３を解除するとともに、センサの信号に応じて、所定のアプリケーションを実行する。これにより例えばユーザは水中において、スマートフォン１のスリープモードを解除するとともに、撮影用のカメラアプリケーションを実行させることができる。
【００５９】
以下に図７を用いて、第２の実施例に係るスマートフォン１により実行される処理の流れについて説明する。ただし第１の実施例と共通する構成および処理については省略する。
【００６０】
第２の実施例のステップＳ１０１からステップＳ１０４までは、第１の実施例におけるステップＳ００１からステップＳ００４と同様に実行される。
【００６１】
ステップＳ１０４でスマートフォン１が所定の回数振られたとき、ステップＳ１０５に進み、ステップＳ１０４の際に振られた方向が上下方向であるかを判定する。上下方向とは、図１におけるＹ方向であるが、厳密にＹ方向のみに限定されるものではなく、移動の軌跡が所定の範囲に含まれていればよい。例えば上下に振られたと認識するために必要な条件は、振る方向がＹ方向を中心として半径５ｃｍの範囲に含まれて、且つＹ方向への移動距離が１０ｃｍの範囲であればよい。またはスマートフォンの姿勢を基準としたＹ方向に沿うのではなく、重力方向を中心としてもよい。角度および振る方向はあくまで一例であり、適宜変更されてもよい。
【００６２】
ステップＳ１０４のとき、プロセッサ１０が加速度センサ５Ｃの信号に基づき上下方向に振られていたと認識するのであれば、ステップＳ１０６に進み、プロセッサ１０は静止画撮影モードで撮影用のアプリケーションを実行する。撮影用のアプリケーションが起動されると、図８に示すようにディスプレイ２Ｂにはアウトカメラ８Ｂにより得られたスルー画像１５が表示される。また併せてシャッターボタン１６、動画撮影モード切り替えボ
タン１７および撮影画像１８がオブジェクトとしてスルー画像１５に重ねて表示される。シャッターボタン１６に対してタッチパネル２Ａによりタッチ操作を受けるとプロセッサ１０はインカメラ８Ａまたはアウトカメラ８Ｂを用いた撮影を行う。動画撮影モード切り替えボタン１７に対してタッチパネル２Ａによりタッチ操作を受けるとプロセッサ１０は撮影中のアプリケーションを動画撮影モードへ切り替える。撮影画像１８は、過去に撮影した画像のうち新しいものを縮小して表示する。新たに撮影が行われると、撮影画像１８に上書きして表示される。撮影画像１８のオブジェクトに対してタッチパネル２Ａによりタッチ操作を受けると、プロセッサ１０はディスプレイ２Ｂの表示を図８の状態からからギャラリーモードへ変更させる。ギャラリーモードとは、ストレージ９に保存された画像データを閲覧するためのモードである。
【００６３】
しかしながらこれらのタッチ操作による入力は、タッチパネル２Ａが濡れた状態では使用できない。よってタッチパネル２Ａが濡れている場合には、シャッターボタン１６、動画撮影モード切り替えボタン１７および撮影画像１８の全てを消去してもよいし、もしくは一部のみを消去してもよい。またはモノクロ表示にするなど、使用できない旨を示す表示へ変更してもよい。
【００６４】
ステップＳ１０４のとき、上下方向に振られていたのでなければ、ステップＳ１０７へ進み、プロセッサ１０はステップＳ１０４のとき左右方向へ振られたのかを判定する。左右方向とは図１におけるＸ方向である。または重力方向に対して直角の方向であってもよい。ステップＳ１０７もステップＳ１０５と同様に、厳密に方向が設定されるものではなく、ある程度の範囲に含まれていればよい。
【００６５】
ステップＳ１０７にて、Ｓ１０４のとき振られた方向が左右方向であると判断されたのであれば、ステップＳ１０８へ進み、プロセッサ１０は動画撮影モードで撮影用のアプリケーションを実行する。しかしながらステップＳ１０８において左右方向でないと判断されたのであれば、ユーザの意図が不明であり、誤検知である可能性もあるため、ステップＳ１０１に戻り、再度ロック画面１３を表示する。またはユーザに再度ジェスチャ入力を促すメッセージを表示してもよい。
【００６６】
上記の説明では、一例としてスマートフォン１がロック画面１３を表示し、かつ水中にあるとき、振る方向に応じて異なる設定で撮影用のアプリケーションを実行する例を示したが、実行する機能は撮影に限られない。例えば水中での意思疎通のために文字列を表示してもよいし、更に別のアプリケーションであってもよい。
【００６７】
上記の処理により、ユーザは水中から水上へスマートフォン１を取り出すことなく、起動またはスリープモードの解除を行ってから任意の機能を素早く実行することができる。従ってシャッターチャンスを逃さず速やかに撮影が可能である。
【００６８】
上述の様に例えば撮影のみが可能な状態となるのであれば、他人が意図的にスマートフォン１を水中に沈め、解除操作を行ったとしても、スマートフォン１に含まれる個人情報は保護される。本実施例に係るスマートフォン１にインストールされている撮影用のアプリケーションは図８に示すように、ストレージの特定のフォルダに保存されている画像のうち撮影日が新しい画像の縮小表示１８を画面の隅に縮小して表示させ、閲覧できる機能が備えているが、加速度センサ５Ｃ等によるジェスチャ入力による解除操作によってスマートフォン１の利用が開始されたのであれば、そのような個人情報に繋がる機能は無効にし、表示させなくてもよい。または図９のようにマーク１９を表示し、見えづらくしてもよいし、または上記のジェスチャ入力による解除操作を行って以降の画像のみを表示させてもよい。
【００６９】
もしくはタッチパネル２Ａが水を検知している間は、参照先を上述の特定のフォルダと異なる水中撮影画像用のフォルダにアクセスし、当該フォルダに保存されている画像または動画のうち、撮影日時が新しい画像を表示してもよい。その場合にはタッチパネル２Ａが水を検知している間における撮影画像は当該水中撮影画像用のフォルダに保存してもよい。
【００７０】
上述の例では、スマートフォン１を所定の回数振り、その方向に応じて動作を異ならせたが、そのほか回数に応じて動作を異ならせてもよいし、加速度センサ５Ｃの信号から推測されるスマートフォン１の振る際の移動距離等に応じて異ならせてもよい。
【００７１】
例えばスマートフォン１が３秒以内に上下方向に１０ｃｍ以上の幅で３回振られた場合には静止画撮影モード、上下方向に１０ｃｍ以上の幅で５回振られた場合には連写撮影モード、左右方向に３０ｃｍ程度の幅で５回振られた場合には動画撮影モードで実行してもよい。または１つのセンサのみを用いるのではなく、ボタン３や複数のセンサを組み合わせた入力であってもよい。
【００７２】
入力のパターンと対応する撮影モードの起動については、上述の例に限られない。入力のパターンは異なったものが割り当られてもよいし、水中で使用可能である別の入力手段であってもよい。
【００７３】
それぞれの入力パターンに対応して起動される撮影モードはパノラマ撮影モードやモノクロ撮影モードなどであってもよい。
【００７４】
以上の処理についてはロック画面１３を表示したときの処理について述べたが、撮影パターンの切り替え手段として、撮影用のアプリケーションを実行した後および撮影を行ったあとも継続して加速度センサ５Ｃ等による入力を受けても構わない。
【００７５】
ここまで撮影用のアプリケーションを起動させることについて述べたが、撮影用のアプリケーションを終了させることやスリープモードへの移行についても所定の入力パターンを割り当ててもよい。これによりユーザはスマートフォン１が水に濡れ、タッチパネル２Ａを使用できない状態であっても、スリープ状態からアウトカメラ８Ｂまたはインカメラ８Ａによる撮影を行い、撮影終了後に再びスリープモードへ切り替えるという一連の操作を行うことができる。
【００７６】
第１の実施例において、ジェスチャ入力による解除が行われたあと、タッチパネル２Ａにおいて水が検知されなくなったのであれば、直後、または数秒後に再度、数字列の入力等の解除操作を求めてもよいことを説明したが、第２の実施例においてはアウトカメラ８Ｂまたはインカメラ８Ａによる撮影が可能な状態を維持してもよい。これにより撮影中に意図せずロック画面１３が表示されることはなくなり、シャッターチャンスを逃す可能性は低くなる。ただしこの場合には、第１の実施例における説明と同様に、スマートフォン１の不正利用を防ぐため、撮影用のアプリケーションを終了すると即座にロック画面１３を表示させることが望ましい。
【００７７】
ここまで電子機器としてスマートフォンを例として上げて説明したが、必ずしもこの実施例に限られない。例えばフィーチャーフォン、タブレット端末、デジタルカメラ、電子ブックリーダ、ゲーム機、ＰＤＡ、ＰＣ等であってもよい。その他タッチパネルを搭載する機種であれば同様に適用できる。
【００７８】
本明細書では、添付の請求項に係る技術を完全かつ明瞭に開示するために特徴的な実施例に関し記載してきた。しかし、添付の請求項は、上記の実施例に限定されるべきもので
なく、本明細書に示した基礎的事項の範囲内で当該技術分野の当業者が創作しうるすべての変形例及び代替可能な構成により具現化されるべきである。
【符号の説明】
【００７９】
１  スマートフォン
２Ａ  タッチパネル
２Ｂ  ディスプレイ
３  ボタン
４  バッテリ
５Ａ  照度センサ
５Ｂ  近接センサ
５Ｃ  加速度センサ
５Ｄ  ジャイロセンサ
５Ｅ  方位センサ
５Ｆ  気圧センサ
６  通信ユニット
７Ａ  レシーバ
７Ｂ  マイク
７Ｃ  スピーカ
８Ａ  インカメラ
８Ｂ  アウトカメラ
９  ストレージ
９Ａ  制御プログラム
９Ｂ  アプリケーション
９Ｃ  設定情報
９Ｄ  センサ情報
９Ｅ  環境情報
１０  プロセッサ
１１  コネクタ
１２  イヤホンジャック
１３  ロック画面
１４  ポップアップ
１５  スルー画像
【図１】
2017199136.tif 000003
【図２】
2017199136.tif 000004
【図３】
2017199136.tif 000005
【図４】
2017199136.tif 000006
【図５】
2017199136.tif 000007
【図６】
2017199136.tif 000008
【図７】
2017199136.tif 000009
【図８】
2017199136.tif 000010
【図９】
2017199136.tif 000011